(57)【要約】【課題】顎関節の緊張を開放するために用いられる顎関節用ストレッチ器具を提供する。【解決手段】顎関節用ストレッチ器具１は、全体が可撓性があり、かつ人体に接しても無害な材質で一体に作られており、先端が滑らかな凸状に湾曲した略円錐台状に形成された中空の押圧部２と、押圧部２の一方端に形成された円形の開口部３と、開口部３の周縁に形成され、人体の顎に引っ掛けるためのエッジ部４とを有する。押圧部２の開口部３側には、エッジ部４が人体の顎に引っ掛かった状態で外部からの力が顎に十分に伝わるように、他の部分よりも厚い肉厚部２ａが形成されている。【選択図】  図３
2013230246.tif 000002
【特許請求の範囲】
【請求項１】
全体が可撓性のある材質で作られており、
凸状に湾曲して形成された中空の押圧部と、
前記押圧部の一方端に形成された開口部と、
前記開口部の周縁に形成され、人体の顎に引っ掛けるためのエッジ部と、
を有することを特徴とする顎関節用ストレッチ器具。
【請求項２】
前記押圧部の開口部側には肉厚部が形成されていることを特徴とする請求項１に記載の
顎関節用ストレッチ器具。
【請求項３】
前記エッジ部の全部又は一部に滑り止め部材が被覆され、接着されていることを特徴とする請求項１又は２に記載の顎関節用ストレッチ器具。
【請求項４】
前記エッジ部に設けられ、前記エッジ部から略垂直方向に延びて設けられた棒状の引っ張り部材を有することを特徴とする請求項１乃至３のいずれか１つの項に記載の顎関節用ストレッチ器具。
【発明の詳細な説明】
【技術分野】
【０００１】
本発明は、顎関節の緊張を開放するために用いられる顎関節用ストレッチ器具に関する。
【背景技術】
【０００２】
一般に、人間の顎は、口腔を上下より囲んでいる部分であり、上顎と下顎に分けられる。顎の中には上下に夫々上顎骨と下顎骨とがあって支柱をなしており、これら上，下顎骨には歯が植っている。下顎骨は顎関節によって頭蓋に結びつけられていて、上顎に対し、前・後・左右方向に運動し、食物を噛んだり、会話時等に所定の運動をする。
【０００３】
顎関節は筋肉をコントロールしており、中には脳神経にも影響を与える筋肉もある。この顎関節が緊張すると、各器官、臓器又は筋肉等に影響を与え、頭痛、耳鳴り、歯軋り、顔面神経痛、肩痛、首痛、腰痛、脊椎湾曲等の原因となると共に、内蔵疾患等の原因ともなっていた。
【０００４】
そこで従来では、他動療法として、施術者（他人又は自己）の指による指圧によって顎部分をストレッチすることにより、顎関節の緊張を開放していた（以下、この技術を従来例１という）。
【０００５】
なお、特許文献１には、ラテックスゴム、シリコンゴムまたは医療用ＰＶＣ等の柔軟な材料により、人間の顎および歯の配列形状に合うよう幾らか弓形またはＵ形状の平面形状にしたベース部分を有し、そのベース部分は外側端縁部分に沿って外方フランジ部分、およびその内側端縁部分に沿って内方フランジ部分を備えており、外，内方フランジ部分は内方側へ湾曲しており、且つベース部分は後方寄り部分を最大の厚みとすると共に、後方寄り部分から先端部中央に向って徐々に薄くなるテーパが付いていることにより、顎上下の噛み合せを正常な咬合状態にする顎関節の位置のずれを矯正する装置が開示されている（以下、この技術を従来例２という）。
【特許文献１】特開平５−３１７３３５号公報
【発明の概要】
【発明が解決しようとする課題】
【０００６】
従来例１では、顎関節のストレッチを施術者の指で行っているので、施術者の指を痛めてしまう場合があるという課題があった。
【０００７】
また、施術に慣れていない初心者の場合、施術対象者の顔が施術者の指で押されながら下方に下がってしまったり、施術者の腕が施術対象者の胸にあたってしまうことがあり、施術に熟練やテクニックを要するという課題があった。
【０００８】
また、施術対象者の顎の形が性別や年齢等によって異なるので、顎の形に応じた施術を行わないと、施術の効果にバラツキが生じるという課題があった。
【０００９】
従来例２では、口の中に入れて顎関節の位置のずれを矯正する装置であって、顎関節を他動で動かしてストレッチして、顎関節の緊張を開放するために用いられる器具ではない。
【００１０】
本発明は、上記課題を解決するためになされたものであり、顎関節の緊張を開放するために用いられる顎関節用ストレッチ器具を提供することを目的とする。
【課題を解決するための手段】
【００１１】
本発明の顎関節用ストレッチ器具は、
全体が可撓性のある材質で作られており、
凸状に湾曲して形成された中空の押圧部と、
前記押圧部の一方端に形成された開口部と、
前記開口部の周縁に形成され、人体の顎に引っ掛けるためのエッジ部と、
を有することを特徴とするものである。
【００１２】
前記押圧部の開口部側には肉厚部が形成されていてもよい。
【００１３】
前記エッジ部の全部又は一部に滑り止め部材が被覆され、接着されていてもよい。
【００１４】
前記エッジ部に設けられ、前記エッジ部から略垂直方向に延びて設けられた棒状の引っ張り部材を有してもよい。
【発明の効果】
【００１５】
本発明によれば、次のような効果を奏する。
（１）施術者の指ではなく、可撓性のある材質で作られた器具を用いて顎関節のストレッチを行うので、施術者の指を痛めてしまうことがなく、施術対象者の顎を痛めることもない。
（２）エッジ部に顎を引っ掛けて施術を行うので、指圧よりも簡単に行うことができ、熟練やテクニックを要することがない。
（３）施術対象者の性別や年齢等によって顎の形や大きさが異なっていても、エッジ部を変形できるので、異なる顎の形や大きさに簡単にフィットでき、施術の効果にバラツキが生じることがない。
【図面の簡単な説明】
【００１６】
【図１】本発明の第１の実施形態例に係る顎関節用ストレッチ器具を示す斜視図である。
【図２】本発明の第１の実施形態例に係る顎関節用ストレッチ器具を示す左側面図である。
【図３】図２のIII−III線断面図である。
【図４】本発明の第１の実施形態例に係る顎関節用ストレッチ器具を示す正面図である。
【図５】本発明の第１の実施形態例に係る顎関節用ストレッチ器具を示す背面図である。
【図６】本発明の第１の実施形態例に係る顎関節用ストレッチ器具を示す平面図である。
【図７】本発明の第１の実施形態例に係る顎関節用ストレッチ器具を示す使用状態を示す参考図である。
【図８】本発明の第２の実施形態例に係る顎関節用ストレッチ器具を示す断面図である。
【図９】本発明の第３の実施形態例に係る顎関節用ストレッチ器具を示す側面図である。
【発明を実施するための最良の形態】
【００１７】
以下、本発明の実施の形態について図面を参照して説明する。図１は本発明の第１の実施形態例に係る顎関節用ストレッチ器具を示す斜視図、図２は本発明の第１の実施形態例に係る顎関節用ストレッチ器具を示す左側面図、図３は図２のIII−III線断面図、図４は本発明の第１の実施形態例に係る顎関節用ストレッチ器具を示す正面図、図５は本発明の第１の実施形態例に係る顎関節用ストレッチ器具を示す背面図、図６は本発明の第１の実施形態例に係る顎関節用ストレッチ器具を示す平面図である。
【００１８】
なお、右側面図は左側面図と対称であり、底面図は平面図と同一である。
【００１９】
本発明の第１の実施形態例に係る顎関節用ストレッチ器具１は、全体が可撓性があり、かつ人体に接しても無害な材質で一体に作られており、例えばシリコンゴム、ラテックスゴム又はポリ塩化ビニル樹脂（ＰＶＣ）等の合成樹脂で作られている。
【００２０】
図１−図６に示すように、顎関節用ストレッチ器具１は、先端が滑らかな凸状に湾曲した略円錐台状に形成された中空の押圧部２と、押圧部２の一方端に形成された円形の開口部３と、開口部３の周縁に形成され、人体の顎に引っ掛けるためのエッジ部４とを有する。
【００２１】
図３に示すように、押圧部２の開口部３側には、エッジ部４が人体の顎に引っ掛かった状態で外部からの力が顎に十分に伝わるように、他の部分よりも厚い肉厚部２ａが形成されている。
【００２２】
次に、本発明の第１の実施形態例に係る顎関節用ストレッチ器具１の使用について説明する。図７は本発明の第１の実施形態例に係る顎関節用ストレッチ器具１を示す使用状態を示す参考図である。
【００２３】
図７に示すように、施術者が自身の顎関節をストレッチする場合には、まず、顎関節用ストレッチ器具１の開口部３から押圧部２の内側に親指Ｆ１を入れ、押圧部２の外面に人差し指Ｆ２を当てることにより顎関節用ストレッチ器具１を支持する。
【００２４】
次いで、顎の突き出した部分Ｎにエッジ部４を引っ掛ける。
【００２５】
この状態で人差し指Ｆ２で押圧部２の外面を押す動作を何回か繰り返すことにより、顎関節の緊張を開放する。
【００２６】
なお、顎関節用ストレッチ器具１を用いて、施術者が他人の顎関節をストレッチすることも可能であることはいうまでもない。
【００２７】
本発明の第１の実施形態例に係る顎関節用ストレッチ器具１によれば、施術者の指ではなく、可撓性のある材質で作られた器具を用いて顎関節のストレッチを行うので、施術者の指を痛めてしまうことがなく、施術対象者の顎を痛めることもない。
【００２８】
また、エッジ部４に顎を引っ掛けて施術を行うので、指圧よりも簡単に行うことができ、熟練やテクニックを要することがない。
【００２９】
さらに、施術対象者の性別や年齢等によって顎の形や大きさが異なっていても、エッジ部４を変形できるので、異なる顎の形や大きさに簡単にフィットでき、施術の効果にバラツキが生じることがない。
【００３０】
図８は本発明の第２の実施形態例に係る顎関節用ストレッチ器具１を示す断面図である。
【００３１】
図８に示すように、本発明の第２の実施形態例に係る顎関節用ストレッチ器具１では、エッジ部４のうち顎に当たる部分に滑り止め部材５が被覆され、接着剤により接着されている。
【００３２】
滑り止め部材５は、エッジ部４を覆うように、押圧部２の肉厚部２ａ及び肉厚部２ａから外側に突出して形成された突出部２ｂに取り付けられている。
【００３３】
なお、エッジ部４の一部だけでなく全体に滑り止め部材５が被覆され、接着剤により接着されていてもよい。
【００３４】
滑り止め部材５としては、素材がポリ塩化ビニル樹脂（ＰＶＣ）で作られ、ポリエステル製の網状の糸芯が内蔵された繊維部材が用いられ、例えば商品「止まるんです（株式会社カーボーイ社製）」が用いられるのが好ましい。滑り止め部材５に糸芯が内蔵されているので強く引っ張っても切れることがない。
【００３５】
図９は本発明の第３の実施形態例に係る顎関節用ストレッチ器具１を示す側面図である。
【００３６】
図９に示すように、本発明の第３の実施形態例に係る顎関節用ストレッチ器具１では、エッジ部４に設けられ、エッジ部４から略垂直方向に延びて設けられた棒状の引っ張り部材６を有する。
【００３７】
引っ張り部材６は、手で持つことができるような太さ及び長さに適宜形成されており、例えば木製又はプラスチック製のように軽量な材質で作られているのが好ましい。
【００３８】
この顎関節用ストレッチ器具１によれば、顎の突き出した部分にエッジ部４を引っ掛け、この状態で引っ張り部材６を手で引っ張る動作だけで、顎関節をストレッチできるので、施術をより簡単に行うことができる。
【００３９】
本発明は、上記実施の形態に限定されることはなく、特許請求の範囲に記載された技術的事項の範囲内において、種々の変更が可能である。
【産業上の利用可能性】
【００４０】
本発明の顎関節用ストレッチ器具１は、施術者（他人又は自己）により顎関節の緊張を開放するために用いられる。
【符号の説明】
【００４１】
１：顎関節用ストレッチ器具
２：押圧部
２ａ：肉厚部
２ｂ：突出部
３：開口部
４：エッジ部
５：滑り止め部材
６：引っ張り部材
【図１】
2013230246.tif 000003
【図２】
2013230246.tif 000004
【図３】
2013230246.tif 000005
【図４】
2013230246.tif 000006
【図５】
2013230246.tif 000007
【図６】
2013230246.tif 000008
【図７】
2013230246.tif 000009
【図８】
2013230246.tif 000010
【図９】
2013230246.tif 000011